(57)【特許請求の範囲】
【請求項１】
一端側が二重管と、他端側が二管路管との接合部を備えた継手管であって、継手管の一端側は接続される二重管の外管及び内管との接合部を備え、他端側は外管及び内管を上・下２等分する水平の平板を設け、該平板を介し内管下半分の外径と外管下半分の内径に当たる断面半円帯状部を封鎖し、また、内管上半分の内径と平板上面に当たる断面半円形状部を封鎖して、平板先端で二管路管の隔壁との接合に対応させたことを特徴とする二重管と二管路管との継手管。
【請求項２】
管部とケースとで構成され、管部は外筒と内筒とからなり、その一端側は接続される二重管の外管及び内管との接合部を備え、内筒は管部の他端側に向けて、外筒の内径を弦とする断面半円形状に変形させ、かつその円弧部分の端縁を外筒の内面に固着させるとともに、外筒の他端側の周囲に中空のケースの基板が固着され、その基板にケースの外板が取着され、前記弦部分を管部の外側に延長した仕切板によりケース内を二分するとともに、仕切板と対峙するケースのそれぞれの蓋板に通気孔が設けられたことを特徴とする二重管用ベントキャップ。
【請求項３】
管部、ケース及びダンパー板とで構成され、管部は外筒と内筒とからなり、その一端側は接続される二重管の外管及び内管との接合部を備え、内筒は管部の他端側に向けて、外筒の内径を弦とする断面半円形状に変形させ、かつその円弧部分の端縁を外筒の内面に固着させるとともに、外筒の他端側の周囲に中空のケースの基板が固着され、その基板にケースの外板が取着され、前記弦部分を管部の外側に延長した仕切板によりケース内を二分し、仕切板と対峙するケースのそれぞれの蓋板に通気孔が設けられるとともに、外筒の両開口部を閉塞する方向にバネにより付勢されたダンパー板を、温度ヒューズにより仕切板の両側にそれぞれ保持したことを特徴とする防火ダンパー付き二重管用ベントキャップ。
【発明の詳細な説明】
【０００１】
【発明の属する技術分野】
この発明は、排気と吸気若しくは二系統の排気の空調配管に利用される二重管と二管路管との継手管、二重管用ベントキャップ及び二重管用防火ダンパー付きベントキャップに関する。
【０００２】
【従来の技術】
１本の管内に２つの通気路を備えた管として、図９に示したような外管２と外管内にスペーサ３により所定間隔を保って挿通され、外管２との間に外通気路７を形成するとともに外通気路７と断面積がほぼ等しいそれ自体が内通気路８を形成する内管４とからなる二重管１や、図１０に示したような管内部に管軸方向の隔壁６を設けた二管路管５が知られていて、建築との取り合いにおいて貫通孔口径がやや大となる欠点はあるが、貫通孔の数、下がり天井の幅、ベントキャップ個数などの低減が可能となるので好まれて採用されるようになってきている。また、二重管用防火ダンパー装置として例えば実開昭６２−１６２５４５が開示されている。
【０００３】
【発明が解決しようとする課題】
前記した二管路管５では隔壁６があるため周方向に関する管の姿勢を正確に規定しないと所定の位置に配管できなかったり、ベントキャップを正しい姿勢に取り付けることができないことがあるため、このような配管設備工事は面倒で煩わしいものとなっている。また前記従来の二重管用防火ダンパー装置では、ベントキャップの２カ所の通気孔が管軸方向とその直角方向に近接して設けられているため、吸排気用に使用された場合、一旦排出された排気が再び吸気されることがあるほか、防火ダンパーの構造も複雑なものとなっている。
【０００４】
本発明の目的は、二管路管の難点を解消するための継手管、小型でかつ吸排気用に使用しても逆流しない二重管用ベントキャップ、並びに確実に作動するとともに保守点検が容易な防火ダンパー付き二重管用ベントキャップを提供することにある。
【０００５】
【課題を解決するための手段】
請求項１の発明は、外筒と内筒とからなる継手管であって、継手管の一端側は接続される二重管の外管及び内管との接合部を備え、内筒は継手管の他端側に向けて、外筒の内径を弦とする断面半円形状に変形させ、かつその円弧部分の端縁を外筒の内面に固着させたことを特徴とする二重管と二管路管との継手管である。
【０００６】
かかる発明では、外筒は円筒形のままで内筒の断面形状のみを変化させたものであり、外形が拡大せず簡単な構造で二重管と二管路管とを連結することができるほか、この継手管を２組利用することにより二管路管の隔壁の角度を変更することができる。
【０００７】
請求項２の発明は、管部とケースとで構成され、管部は外筒と内筒とからなり、その一端側は接続される二重管の外管及び内管との接合部を備え、内筒は管部の他端側に向けて、外筒の内径を弦とする断面半円形状に変形させ、かつその円弧部分の端縁を外筒の内面に固着させるとともに、外筒の他端側の周囲に中空のケースの基板が固着され、その基板にケースの外板が取着され、前記弦部分を管部の外側に延長した仕切板によりケース内を二分するとともに、仕切板と対峙するケースのそれぞれの蓋板に通気孔が設けられたことを特徴とする二重管用ベントキャップである。
【０００８】
かかる発明では、外筒は円筒形のままで内筒の断面形状のみを変化させたものであり、管部の外形を拡大することなく内外の通気路を平面で隔てられた２つの通気路に変換したから、ベントキャップが小型化されるとともに内部が簡素化され、そのうえ通気孔を互いにケースの反対側に設けることが可能となり、吸排気用に使用する場合、一旦排出された排気が再び吸気されることがない。また、ケースの外板を取り外せばベントキャップ内部の保守点検が容易となる。
【０００９】
請求項３の発明は、管部、ケース及びダンパー板とで構成され、管部は外筒と内筒とからなり、その一端側は接続される二重管の外管及び内管との接合部を備え、内筒は管部の他端側に向けて、外筒の内径を弦とする断面半円形状に変形させ、かつその円弧部分の端縁を外筒の内面に固着させるとともに、外筒の他端側の周囲に中空のケースの基板が固着され、その基板にケースの外板が取着され、前記弦部分を管部の外側に延長した仕切板によりケース内を二分し、仕切板と対峙するケースのそれぞれの蓋板に通気孔が設けられるとともに、外筒の両開口部を閉塞する方向にバネにより付勢されたダンパー板を、温度ヒューズにより仕切板の両側にそれぞれ保持したことを特徴とする防火ダンパー付き二重管用ベントキャップである。
【００１０】
かかる発明では、外筒は円筒形のままで内筒の断面形状のみを変化させたものであり、管部の外形を拡大することなく内外の通気路を平面で隔てられた２つの通気路に変換したから、ベントキャップが小型化されるとともに内部が簡素化され、そのうえ通気孔を互いにケースの反対側に設けることが可能となり、吸排気用に使用する場合、一旦排出された排気が再び吸気されることがない。そのうえ通気路の開口部やベントキャップ内部が簡素化されているから、簡単な構造の防火ダンパーで通気路を確実に閉鎖することができるほか、ケースの外板を取り外すせばベントキャップ内部や温度ヒューズの保守点検が容易となる。
【００１１】
【発明の実施の形態】
本発明の実施の形態を図面を参照して説明する。
【００１２】
図１は本発明の二重管と二管路管との継手管の断面図であり、図２はその斜視図である。継手管１１は外筒１２と内筒１３とからなり、継手管１１の一端側は接続される図９に示した二重管１の外管２及び内管４とに嵌合して連結される接合部を備えている。継手管１１の一端側では、内筒１３が外筒１２より突出していて、外筒１２の開口面の内筒１３位置にパッキンを保持する溝１４が形成されている。内筒１３は継手管１１の他端側に向けて、外筒１２の内径を弦とする断面半円形状に変形させ、かつその円弧部分の端縁を外筒の内面に固着させてある。そして継手管１１の一端から他端にいたる流心に垂直な断面における外通気路１５と内通気路１６の面積はほぼ等しくなるように設計されている。内筒１３は一本のパイプを絞り加工して成形したり、対称面で半裁した形状にプレス成形したのち溶接で一体としてもよいが、図示の例では丸パイプの先端に２枚の球面状のドームの一部１７，１８と１枚の平板１９を組み合わせて溶接で一体としている。
【００１３】
この継手管１１は図１１に示した二管路管用ソケット９を介して図１０に示した二管路管５と連結することができる。またこの継手管１１を２組利用することにより二管路管５の隔壁の角度を変更することができるから、配管工事が容易になる。
【００１４】
図３及び図４は本発明の二重管用ベントキャップの断面図と斜視図である。二重管用ベントキャップ２１は管部２２と半円筒形のケース２３より構成されているが、管部２２は前述の図１及び図２で示した継手管１１の構成とほぼ同様であるので、同一符号を付けて説明を省略し相違点のみを詳述する。
【００１５】
外筒１２の他端側の周囲には、外筒１２の外形に対応する穴を設けた中空のケース２３の基板２４が溶接により固着され、その基板２４にケース２３の外板２５が着脱自在に取着されている。また内筒１３の他端側における弦部分の平板１９には、継手板２６の一方の端縁が嵌入され、その継手板２６の他端の端縁には仕切板２７が挿入され、平板１９が管部２２の外側に延長された形状となっている。
【００１６】
仕切板２７は半円形の板でその円弧部分は外板２５に設けられたアングル２８間に嵌入されているので、ケース２３内を気密に二分して２つの通気路を形成する。そしてこの仕切板２７と対峙するケース２３のそれぞれの蓋板２９には通気孔３０が設けられ、外気の供給口又は排気の放出口となる。このベントキャップ２１では、ケース２３の外板２５及び蓋板２９を基板２４から容易に取り外すことが可能であるからケース２３内の保守点検が容易に行える。なお、仕切り板の形状はケースの外形に合わせるので、半円形に限定するものではなく、半楕円形や多角形でもよい。
【００１７】
図５は本発明の防火ダンパー付き二重管用ベントキャップの断面図であり、図６は拡大した温度ヒューズの断面図、図７は防火ダンパー付き二重管用ベントキャップの斜視図である。
【００１８】
本発明の防火ダンパー付き二重管用ベントキャップ３１は、管部２２、ケース２３及び２枚のダンパー部とで構成されているが、管部２２及びケース２３は前述の図３及び図４で示した二重管用ベントキャップ２１の構成とほぼ同様であるので、同一符号を付けて説明を省略し相違点のみを詳述する。
【００１９】
内筒１３の他端側における弦部分の平板１９に嵌入された継手板２６の両端にそれぞれ固設されたバネケース３３間にシャフト３４がそれぞれ挿通され、そのシャフト３４に外筒１２の両開口部３５を閉塞する半円形状のダンパー板３２が取り付けられている。なお、外筒１２の開口部３５はダンパー板３２との接触を確実にするため、ケース２３の基板２４より僅か突出させておくことが好ましい。バネケース３３内でシャフト３４の両端には、図示しないコイルバネが取着されていて、そのコイルバネの作用によりダンパー板３２は開口部３５を閉塞する方向に常に付勢されている。
【００２０】
それら２枚のダンパー板３２は、仕切板に設けられた孔３６を遊嵌するピン３７の両端にそれぞれ設けた温度ヒューズ３８により、常態時はシャフト３４に取着されたバネの力に抗して仕切板２７の両側に保持される。温度ヒューズ３８はピン３７の両端にフランジ付きピンホルダー３９を可溶合金４０で溶着したものである。
【００２１】
したがって、可溶合金４０の融解温度を適宜選択することにより、２つの開口部３５を通過する気流のそれぞれの温度に応じてダンパー板３２が閉塞するように設定することができる。またいずれか一方の通気路の温度ヒューズ３８が融解したとき、ダンパー板３２のに取着されたバネの作用によりピン３７が脱落するので、同時に両ダンパー板３２がそれぞれの開口部３５を閉鎖する。
【００２２】
また、この防火ダンパー付き二重管用ベントキャップ３１は、ケース２３の外板２５及び蓋板２９を基板２４から容易に取り外すことが可能であり、かつダンパー板３２を保持するピン３７もねじ４１で連結されているから、ねじを緩めることによりピンを２分割して、ダンパー板３２のバネによる作動の確認ができるので、保守点検が容易に行える。
【００２３】
図５乃至図７で示した防火ダンパー付き二重管用ベントキャップ３１は、いずれか一方の通気路の温度ヒューズ３８が融解したとき、同時に両ダンパー板３２がそれぞれの開口部３５を閉鎖する形式のものであるが、いずれか一方の通気路の気流の温度が所定の温度より上昇したとき、その通気路のダンパー板を作動させる温度ヒューズの一例について説明する。
【００２４】
図８は別の実施例で温度ヒューズ４２を取り付け状態を示す断面図である。ダンパー板３２の周縁内側の仕切板２７の位置にホルダー４３が固着されていて、そのホルダー４２にＬ字形のブラケット４４の脚部が挿着されている。ブラケット４４の頭部には可溶合金４５によりＬ字形のアタッチメント４６の頭部が溶着され、アタッチメント４６の脚部の突起４７にダンパー板３２が接触している。
【００２５】
したがって、それぞれのダンパー板３２は、温度ヒューズ４２により、常態時はシャフト３４に取着されたバネの力に抗して仕切板２７の両側に保持される。そしてその通気路の温度が所定の温度以上になると、可溶合金４５が融解してブラケット４４とアタッチメント４６との連結が解除されるので、アタッチメント４６はケース２３の蓋板２９方向に飛ばされ、ダンパー板３２はバネの力での開口部を閉鎖する。この実施例では２つの通気路のダンパー板３２が作動温度を、常態時の通気温度に応じて設定することができる。
【００２６】
【発明の効果】
請求項１の発明では、外筒は円筒形のままで内筒の断面形状のみを変化させたものであり、外形が拡大せず簡単な構造で二重管と二管路管とを連結することができるほか、この継手管を２組利用することにより、二管路管の隔壁の角度を変更することが可能となり、周方向に関する管の姿勢を正確に規定しないと所定の位置に配管できなかったり、ベントキャップを正しい姿勢に取り付けることができないことなどの二管路管の配管に関する問題点を解消することができる。
【００２７】
請求項２の発明では、外筒は円筒形のままで内筒の断面形状のみを変化させたものであり、管部の外形を拡大することなく内外の通気路を平面で隔てられた２つの通気路に変換したから、ベントキャップが小型化されるとともに内部が簡素化され、そのうえ通気孔を互いにケースの反対側に設けることが可能となり、吸排気用に使用する場合、一旦排出された排気が再び吸気されることがない。また、ケースの外板を取り外せばベントキャップ内部の保守点検が容易となる。
【００２８】
請求項３の発明では、外筒は円筒形のままで内筒の断面形状のみを変化させたものであり、管部の外形を拡大することなく内外の通気路を平面で隔てられた２つの通気路に変換したから、ベントキャップが小型化されるとともに内部が簡素化され、そのうえ通気孔を互いにケースの反対側に設けることが可能となり、吸排気用に使用する場合、一旦排出された排気が再び吸気されることがない。そのうえ通気路の開口部やベントキャップ内部が簡素化されているから、簡単な構造の防火ダンパーで通気路を確実に閉鎖することができるほか、ケースの外板を取り外すせばベントキャップ内部や温度ヒューズの保守点検が容易となる。
【図面の簡単な説明】
【図１】本発明の二重管と二管路管との継手管の断面図である。
【図２】図１の二重管と二管路管との継手管の斜視図である。
【図３】本発明の二重管用ベントキャップの断面図である。
【図４】図３の二重管用ベントキャップの斜視図である。
【図５】本発明の防火ダンパー付き二重管用ベントキャップの断面図である。
【図６】温度ヒューズの断面図である。
【図７】図５の防火ダンパー付き二重管用ベントキャップの斜視図である。
【図８】別の実施例での温度ヒューズの断面図である。
【図９】二重管の断面図である。
【図１０】二管路管の断面図である。
【図１１】二管路管用のソケットの斜視図である。
【符号の説明】
１は二重管、２は外管、３はスペーサ、４は内管、５は二管路管、６は隔壁、７は外通気路、８は内通気路、９は二管路管用ソケット、１１は継手管、１２は外筒、１３は内筒、１４は溝、１５は外通気路、１６は内通気路、１７，１８はドームの一部、１９は平板、２１は二重管用ベントキャップ、２２は管部、２３はケース、２４は基板、２５は外板、２６は継手板、２７は仕切板、２８はアングル、２９は蓋板、３０は通気孔、３１は防火ダンパー付き二重管用ベントキャップ、３２はダンパー板、３３はバネケース、３４はシャフト、３５は開口部、３６は孔、３７はピン、３８は温度ヒューズ、３９はピンホルダー、４０は可溶合金、４１はねじ、４２は温度ヒューズ、４３はホルダー、４４はブラケット、４５は可溶合金、４６はアタッチメント、４７は突起、である。
【図１】
0003653629.tif 000002
【図２】
0003653629.tif 000003
【図３】
0003653629.tif 000004
【図４】
0003653629.tif 000005
【図５】
0003653629.tif 000006
【図６】
0003653629.tif 000007
【図７】
0003653629.tif 000008
【図８】
0003653629.tif 000009
【図９】
0003653629.tif 000010
【図１０】
0003653629.tif 000011
【図１１】
0003653629.tif 000012